(57)【要約】【課題】２台のビデオカメラを用いて撮影を行う場合に、必要な光伝送ケーブルの長さを短縮することが可能な光伝送システムを提供する。【解決手段】本発明によれば、第１ビデオカメラに設置される第１カメラアダプタと、第２ビデオカメラに設置される第２カメラアダプタと、これらのビデオカメラから離れた位置に配置されるベースステーションとの間で光信号を光伝送する光伝送システムにおいて、第１カメラアダプタは、第１ビデオカメラからの映像信号を含む第１電気信号を第１光信号に変換して第２カメラアダプタに伝送し、第２カメラアダプタは、第１光信号を受信すると共に第２ビデオカメラからの映像信号を含む第２電気信号を第２光信号に変換して、第１及び第２光信号を前記ベースステーションに伝送し、前記ベースステーションは、第１及び第２光信号を受信して第１及び第２電気信号に変換して外部機器に対して出力する、光伝送システムが提供される。【選択図】図１
2014023042.tif 000002
【特許請求の範囲】
【請求項１】
第１ビデオカメラに設置される第１カメラアダプタと、第２ビデオカメラに設置される第２カメラアダプタと、これらのビデオカメラから離れた位置に配置されるベースステーションとの間で光信号を光伝送する光伝送システムにおいて、
第１カメラアダプタは、第１ビデオカメラからの映像信号を含む第１電気信号を第１光信号に変換して第２カメラアダプタに伝送し、
第２カメラアダプタは、第１光信号を受信すると共に第２ビデオカメラからの映像信号を含む第２電気信号を第２光信号に変換して、第１及び第２光信号を前記ベースステーションに伝送し、
前記ベースステーションは、第１及び第２光信号を受信して第１及び第２電気信号に変換して外部機器に対して出力する、光伝送システム。
【請求項２】
前記ベースステーションは、前記外部機器からの映像信号を含む第３電気信号を第３光信号に変換して第２カメラアダプタに伝送し、
第２カメラアダプタは、第３光信号を受信して第３電気信号に変換して外部出力すると共に、第３光信号を第１カメラアダプタに伝送する、請求項１に記載の光伝送システム。
【請求項３】
第２カメラアダプタは、第１光信号を受信した後に、電気信号に変換することなく、光信号のまま前記ベースステーションに伝送する請求項１又は２に記載の光伝送システム。
【発明の詳細な説明】
【技術分野】
【０００１】
本発明は、ビデオカメラに設置されるカメラアダプタと、前記ビデオカメラから離れた位置に配置されるベースステーションとの間で光信号を光伝送する光伝送システムに関する。
【背景技術】
【０００２】
ビデオカメラで撮影された映像の映像信号は、伝送ケーブルを介して、スイッチャーなどに送られるが、これらの機器が遠方に設置されている場合、電気信号を減衰させずに伝送することは困難なので、ビデオカメラに設置されたカメラアダプタで電気信号を光信号に変換し、この光信号を光伝送ケーブルを介して伝送し、遠方に設置されたベースステーションで光信号を電気信号に変換することによって、長距離伝送が行われている。
【発明の概要】
【発明が解決しようとする課題】
【０００３】
ベースステーションは、通常、中継車などの近くに配置され、中継車から撮影場所までの距離は１ｋｍ程度になる場合もある。２台のビデオカメラを用いて撮影が行われる場合、ベースステーションとカメラアダプタの間を繋ぐ１ｋｍの光伝送ケーブルを２本、合計２ｋｍのケーブルを準備しているのが現状である。
【０００４】
本発明はこのような事情に鑑みてなされたものであり、２台のビデオカメラを用いて撮影を行う場合に、必要な光伝送ケーブルの長さを短縮することが可能な光伝送システムを提供するものである。
【課題を解決するための手段】
【０００５】
本発明によれば、第１ビデオカメラに設置される第１カメラアダプタと、第２ビデオカメラに設置される第２カメラアダプタと、これらのビデオカメラから離れた位置に配置されるベースステーションとの間で光信号を光伝送する光伝送システムにおいて、
第１カメラアダプタは、第１ビデオカメラからの映像信号を含む第１電気信号を第１光信号に変換して第２カメラアダプタに伝送し、
第２カメラアダプタは、第１光信号を受信すると共に第２ビデオカメラからの映像信号を含む第２電気信号を第２光信号に変換して、第１及び第２光信号を前記ベースステーションに伝送し、
前記ベースステーションは、第１及び第２光信号を受信して第１及び第２電気信号に変換して外部機器に対して出力する、光伝送システムが提供される。
【０００６】
この光伝送システムでは、第２カメラアダプタは、第２ビデオカメラとベースステーションの間で光信号の伝送を行う通常のカメラアダプタの機能を有していると同時に、第１カメラアダプタとベースステーションを繋ぐ中継点の役割を果たしている。このような構成によれば、ベースステーションと第２カメラアダプタの間と、第２カメラアダプタと第１カメラアダプタの間をそれぞれ光伝送ケーブルで接続する。必要な光伝送ケーブルの本数は従来と変わらないが、第２カメラアダプタと第１カメラアダプタの間の距離は、通常は、ベースステーションと第１カメラアダプタの間の距離よりも短いので、本発明によれば、必要な光伝送ケーブルの長さを短縮することができる。例えば、ベースステーション、第１カメラアダプタ及び第２カメラアダプタが直線状に並んでいて、ベースステーションと第１カメラアダプタの間の距離が８００ｍで、ベースステーションと第２カメラアダプタの距離が５００ｍである場合、従来技術であれば、１．３ｋｍの光伝送ケーブルが必要であったが、本発明によれば、ベースステーションと第２カメラアダプタの間の５００ｍと、第２カメラアダプタと第１カメラアダプタの間の３００ｍの合計８００ｍが光伝送ケーブルの必要長になるので、必要な光伝送ケーブルの長さが５００ｍ短縮される。
【図面の簡単な説明】
【０００７】
【図１】本発明の第１実施形態の光伝送システムを示すブロック図である。
【図２】本発明の第２実施形態の光伝送システムを示すブロック図である。
【発明を実施するための形態】
【０００８】
以下、図面を用いて、本発明の実施形態について説明する。
１．第１実施形態
１−１．光伝送システムの構成
以下、図１を用いて、本発明の第１実施形態の光伝送システムについて説明する。図１に示すように、本発明の第１実施形態の光伝送システムは、第１ビデオカメラに設置される第１カメラアダプタ１と、第２ビデオカメラに設置される第２カメラアダプタ３と、これらのビデオカメラから離れた位置に配置されるベースステーション５との間で光信号を光伝送する光伝送システムにおいて、第１カメラアダプタ１は、第１ビデオカメラからの映像信号を含む第１電気信号を第１光信号に変換して第２カメラアダプタ３に伝送し、第２カメラアダプタ３は、第１光信号を受信すると共に第２ビデオカメラからの映像信号を含む第２電気信号を第２光信号に変換して、第１及び第２光信号をベースステーション５に伝送し、ベースステーション５は、第１及び第２光信号を受信して第１及び第２電気信号に変換して外部機器に対して出力する。ベースステーション５は、外部機器からの映像信号を含む第３電気信号を第３光信号に変換して第２カメラアダプタ３に伝送し、第２カメラアダプタ３は、第３光信号を受信して第３電気信号に変換して外部出力すると共に、第３光信号を第１カメラアダプタ１に伝送する。
以下、各構成要素について説明する。
【０００９】
１−２．第１カメラアダプタ１
第１カメラアダプタ１には、第１電気信号入力端子、第３電気信号出力端子、及び第１光伝送ケーブル７の接続端子が設けられている。
【００１０】
第１電気信号は、少なくとも映像信号を含んでいればよく、インカム音声信号や、種々の制御信号をさらに含んでいてもよい。従って、第１電気信号入力端子は、例えば、映像信号入力端子、インカム音声信号入力端子、及び制御信号入力端子で構成される。第１電気信号の映像信号は、デジタル信号であり、例えば、ＳＤＩ信号（例：ＨＤ−ＳＤＩ信号、ＳＤ−ＳＤＩ、３Ｇ−ＳＤＩ信号）、ＨＤＭＩ信号、３Ｄ等である。第１電気信号の映像信号入力端子には、第１ビデオカメラの映像信号出力端子に接続されるケーブルが接続され、第１電気信号の音声信号入力端子には、ヘッドセットに接続されるケーブルが接続され、第１電気信号の制御信号入力端子には、第１ビデオカメラの制御信号出力端子に接続されるケーブルが接続される。
【００１１】
第３電気信号は、少なくとも映像信号を含んでいればよく、インカム音声信号や、種々の制御信号をさらに含んでいてもよい。従って、第３電気信号出力端子は、例えば、映像信号出力端子、インカム音声信号出力端子、及び制御信号出力端子で構成される。第３電気信号の映像信号は、デジタル信号であり、例えば、ＳＤＩ信号（例：ＨＤ−ＳＤＩ信号、ＳＤ−ＳＤＩ、３Ｇ−ＳＤＩ信号）、ＨＤＭＩ信号、３Ｄ等である。第３電気信号の映像信号出力端子には、第１ビデオカメラ用のビューファインダー等の映像表示装置の映像信号入力端子に接続されるケーブルが接続され、第３電気信号の音声信号出力端子には、ヘッドセットに接続されるケーブルが接続され、第３電気信号の制御信号出力端子には、第１ビデオカメラの制御信号入力端子に接続されるケーブルが接続される。第１電気信号の音声信号入力端子と第３電気信号の音声信号出力端子は、同じコネクタの異なるピンに割り当てることができる。
【００１２】
第１光伝送ケーブル７の接続端子には、第１カメラアダプタ１と第２カメラアダプタ３を接続する第１光伝送ケーブル７が接続される。
【００１３】
１−３．第２カメラアダプタ３
第２カメラアダプタ３には、第２電気信号入力端子、第３電気信号出力端子、第１光伝送ケーブル７の接続端子、及び第２光伝送ケーブル９の接続端子が設けられている。
【００１４】
第２電気信号は、少なくとも映像信号を含んでいればよく、インカム音声信号や、種々の制御信号をさらに含んでいてもよい。従って、第２電気信号入力端子は、例えば、映像信号入力端子、インカム音声信号入力端子、及び制御信号入力端子で構成される。第２電気信号の映像信号は、デジタル信号であり、例えば、ＳＤＩ信号（例：ＨＤ−ＳＤＩ信号、ＳＤ−ＳＤＩ、３Ｇ−ＳＤＩ信号）、ＨＤＭＩ信号、３Ｄ等である。第２電気信号の映像信号入力端子には、第２ビデオカメラの映像信号出力端子に接続されるケーブルが接続され、第２電気信号の音声信号入力端子には、ヘッドセットに接続されるケーブルが接続され、第２電気信号の制御信号入力端子には、第２ビデオカメラの制御信号出力端子に接続されるケーブルが接続される。
【００１５】
第３電気信号出力端子は、例えば、映像信号出力端子、インカム音声信号出力端子、及び制御信号出力端子で構成される。第３電気信号の映像信号出力端子には、第２ビデオカメラ用のビューファインダー等の映像表示装置の映像信号入力端子に接続されるケーブルが接続され、第３電気信号の音声信号出力端子には、ヘッドセットに接続されるケーブルが接続され、第３電気信号の制御信号出力端子には、第２ビデオカメラの制御信号入力端子に接続されるケーブルが接続される。第２電気信号の音声信号入力端子と第３電気信号の音声信号出力端子は、同じコネクタの異なるピンに割り当てることができる。
【００１６】
第１光伝送ケーブル７の接続端子には、第１カメラアダプタ１と第２カメラアダプタ３を接続する第１光伝送ケーブル７が接続され、第２光伝送ケーブル９の接続端子には、第２カメラアダプタ３とベースステーション５を接続する第２光伝送ケーブル９が接続される。
【００１７】
１−４．ベースステーション５
ベースステーション５には、第１電気信号出力端子、第２電気信号出力端子、第３電気信号入力端子、及び第２光伝送ケーブル９の接続端子が設けられている。
【００１８】
第１及び第２電気信号出力端子は、例えば、映像信号出力端子、インカム音声信号出力端子、及び制御信号出力端子で構成される。第１及び第２電気信号の映像信号出力端子には、スイッチャーや中継機器などの外部機器の映像信号入力端子に接続されるケーブルが接続され、第１及び第２電気信号の音声信号出力端子には、ヘッドセットに接続されるケーブルが接続され、第１及び第２電気信号の制御信号出力端子には、外部機器の制御信号入力端子に接続されるケーブルが接続される。
【００１９】
第３電気信号入力端子は、例えば、映像信号入力端子、インカム音声信号入力端子、及び制御信号入力端子で構成される。第３電気信号の映像信号入力端子には、外部機器の映像信号出力端子に接続されるケーブルが接続され、第３電気信号の音声信号入力端子には、ヘッドセットに接続されるケーブルが接続され、第３電気信号の制御信号入力端子には、外部機器の制御信号出力端子に接続されるケーブルが接続される。第１及び第２電気信号の音声信号出力端子と第３電気信号の音声信号入力端子は、同じコネクタの異なるピンに割り当てることができる。
【００２０】
第２光伝送ケーブル９の接続端子には、第２カメラアダプタ３とベースステーション５を接続する第２光伝送ケーブル９が接続される。
【００２１】
１−５．光伝送システムの動作
以下、光伝送システムの動作をより詳しく説明する。
まず、第１カメラアダプタ１には、第１ビデオカメラからの映像信号を含む第１電気信号が入力される。第１電気信号は、第１カメラアダプタ１内のＥＯ変換部１１によって第１光信号に変換され、第１光信号が第１光伝送ケーブル７を介して第２カメラアダプタ３へ伝送される。
【００２２】
第２カメラアダプタ３では、ＯＥ変換部１３において第１光信号を受信して第１電気信号に変換する。また、第２カメラアダプタ３には、第２ビデオカメラからの映像信号を含む第２電気信号が入力される。ＥＯ変換部１５では、第１及び第２電気信号がそれぞれ第１及び第２光信号に変換され、第１及び第２光信号が第２光伝送ケーブル９を介してベースステーション５へ伝送される。ＥＯ変換部１５は、波長分割多重、周波数分割多重化、時分割多重化、符号分割多重化などの種々の多重化方式によって１本の光ファイバを用いて第１及び第２光信号を伝送するようにしてもよく、別々の光ファイバを用いて第１及び第２光信号を伝送するようにしてもよい。
【００２３】
ベースステーション５では、ＯＥ変換部１７において第１及び第２光信号を受信して第１及び第２電気信号に変換し、スイッチャーや中継装置などの外部機器に出力する。第１及び第２光信号が別々の光ファイバで伝送された場合、それぞれの光ファイバの末端に設けられたＯＥ変換部の出力を外部に出力する。また、第１及び第２光信号が多重化されて伝送された場合、電気信号に変換された後に、多重分離を行なって第１及び第２電気信号を取り出して、外部に出力する。
【００２４】
また、ベースステーション５には、スイッチャーや中継装置などの外部機器からの映像信号を含む第３電気信号が入力される。第３電気信号は、ＥＯ変換部１９において第３光信号に変換されて第２カメラアダプタ３に伝送される。第３光信号は、第１及び第２光信号と異なる光ファイバを用いて伝送してもよく、多重化によって第１及び第２光信号と同じ光ファイバを用いて伝送してもよい。
【００２５】
第２カメラアダプタ３は、ＯＥ変換部２１において第３光信号を受信して第３電気信号に変換して、第２ビデオカメラに設置された映像表示装置等に出力すると共に、ＥＯ変換部２３において第３電気信号を第３光信号に変換して第１カメラアダプタ１へ伝送する。第３光信号は、第１光信号と異なる光ファイバを用いて伝送してもよく、多重化によって第１光信号と同じ光ファイバを用いて伝送してもよい。
【００２６】
第１カメラアダプタでは、ＯＥ変換部２５において第３光信号を受信して第３電気信号に変換して、第１ビデオカメラに設置された映像表示装置等に外部出力する。
【００２７】
本実施形態のこのような構成によれば、第１カメラアダプタ１とベースステーション５を光伝送ケーブルで接続する代わりに、第１カメラアダプタ１と第２カメラアダプタ３を光伝送ケーブルで接続すればいいので、光伝送ケーブルの必要長を短縮することができる。
【００２８】
２．第２実施形態
以下、図２を用いて、本発明の第２実施形態の光伝送システムについて説明する。第１実施形態では、第１カメラアダプタ１からの第１光信号や、ベースステーション５からの第３光信号は、電気信号に一端変換された後に、再度、光信号に変換されて伝送が行われていたが、本実施形態では、このような光信号→電気信号→光信号という変換をなくし、第１カメラアダプタ１からの第１光信号を光信号のままベースステーション５に伝送し、ベースステーション５からの第３光信号を光信号のまま第１カメラアダプタ１に伝送するという構成にしている。このような構成によれば、第２カメラアダプタ３は、単に、第１光伝送ケーブル７と第２光伝送ケーブル９を連結する役割を有するので、第２カメラアダプタ３の電気系統が故障したとしても、第１カメラアダプタ１とベースステーション５の間の通信は損なわれないという利点がある。なお、第２カメラアダプタ３には、光信号が減衰していた場合、増幅させる機能を設けてもよい。
【００２９】
また、このような構成では、通常は、第２光伝送ケーブル９において、第１光信号と第２光信号は、別々の光ファイバを用いて伝送される。この場合、第２光伝送ケーブル９は、２本以上の光ファイバを有することになる。また、第３光信号は、２本の光ファイバのそれぞれに入力され、１本の光ファイバの第３光信号は、そのまま第１カメラアダプタ１に伝送され、もう１本の光ファイバの第３信号は、第２カメラアダプタ３のＯＥ変換器２１において、第３電気信号に変換されて出力される。第３光信号は、第１及び第２光信号と異なる光ファイバを用いて伝送してもよく、多重化によって第１及び第２光信号と同じ光ファイバを用いて伝送してもよい。
【００３０】
また、別の形態として、第２カメラアダプタ３に光スプリッタを設け、１本の光ファイバで伝送された第３光信号を第２カメラアダプタ内で分岐させ、一方をそのまま第１カメラアダプタ１に伝送し、他方を第３電気信号に変換して出力するようにしてもよい。
【図１】
2014023042.tif 000003
【図２】
2014023042.tif 000004
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
第１ビデオカメラに設置される第１カメラアダプタと、第２ビデオカメラに設置される第２カメラアダプタと、これらのビデオカメラから離れた位置に配置されるベースステーションとの間で光信号を光伝送する光伝送システムにおいて、
第１カメラアダプタは、第１ビデオカメラからの映像信号を含む第１電気信号を第１光信号に変換して第２カメラアダプタに伝送し、
第２カメラアダプタは、第１光信号を受信すると共に第２ビデオカメラからの映像信号を含む第２電気信号を第２光信号に変換して、第１及び第２光信号を前記ベースステーションに伝送し、
前記ベースステーションは、第１及び第２光信号を受信して第１及び第２電気信号に変換して外部機器に対して出力し、
第２カメラアダプタは、第２ビデオカメラと前記ベースステーションの間で光信号の伝送を行うカメラアダプタ本来の機能を有すると共に、第１カメラアダプタと前記ベースステーションを繋ぐ中継点としての機能も有し、第２カメラアダプタと第１カメラアダプタの間の距離は、前記ベースステーションと第１カメラアダプタの間の距離よりも短い、光伝送システム。
【請求項２】
前記ベースステーションは、前記外部機器からの映像信号を含む第３電気信号を第３光信号に変換して第２カメラアダプタに伝送し、
第２カメラアダプタは、第３光信号を受信して第３電気信号に変換して外部出力すると共に、第３光信号を第１カメラアダプタに伝送する、請求項１に記載の光伝送システム。
【請求項３】
第２カメラアダプタは、第１光信号を受信した後に、電気信号に変換することなく、光信号のまま前記ベースステーションに伝送する請求項１又は２に記載の光伝送システム。
【請求項４】
第１ビデオカメラに設置される第１カメラアダプタと、第２ビデオカメラに設置される第２カメラアダプタと、これらのビデオカメラから離れた位置に配置されるベースステーションとの間で光信号を光伝送する光伝送システムにおいて、
第１カメラアダプタは、第１ビデオカメラからの映像信号を含む第１電気信号を第１光信号に変換して第２カメラアダプタに伝送し、
第２カメラアダプタは、第１光信号を受信すると共に第２ビデオカメラからの映像信号を含む第２電気信号を第２光信号に変換して、第１及び第２光信号を前記ベースステーションに伝送し、
前記ベースステーションは、第１及び第２光信号を受信して第１及び第２電気信号に変換して外部機器に対して出力し、
第２カメラアダプタは、第２ビデオカメラと前記ベースステーションの間で光信号の伝送を行うカメラアダプタ本来の機能を有すると共に、第１カメラアダプタと前記ベースステーションを繋ぐ中継点としての機能も有し、第２カメラアダプタと第１カメラアダプタの間の距離は、前記ベースステーションと第１カメラアダプタの間の距離よりも短い、光伝送システムの前記第２カメラアダプタ。